(57)【特許請求の範囲】
【請求項１】
端末に対するユーザのインタフェース切替方式を記録し、前記インタフェース切替方式はユーザの正常的な使用中にユーザの操作行為を分析して特定された情報である、ステップと、
前記端末が現在検出した操作情報を取得するステップと、
前記操作情報と前記インタフェース切替方式が一致しない場合、予め設定された対象に異常警報情報を報告するステップと、を含み、
前記インタフェース切替方式は、同一の機能を実現するための、画面インタフェースにおける仮想のボタンをクリックする操作による切替方式、及び、前記端末における物理的なボタンをクリックする操作による切替方式を含む、
ことを特徴とする端末異常の処理方法。
【請求項２】
前記操作情報と前記インタフェース切替方式が一致しない場合、予め設定された対象に異常警報情報を報告するステップは、
予め設定された時間内に不一致イベントが発生した回数を統計するステップと、
統計された前記回数が予め設定された回数閾値以上であるか否かを判断するステップと、
前記回数が予め設定された回数閾値以上である場合、予め設定された対象に異常警報情報を報告するステップと、
を含むことを特徴とする請求項１に記載の端末異常の処理方法。
【請求項３】
前記異常警報情報は、現在の使用者の人体の特徴情報、前記端末の地理位置情報、及び/または対応する基地局の情報、予め設定された通知ショートメッセージのうちの少なくとも一つを含むことを特徴とする請求項１に記載の端末異常の処理方法。
【請求項４】
前記操作情報と前記インタフェース切替方式が一致しない場合、前記端末を機能制限モードに切り替えるか、及び/または端末データを予め設定された安全な記憶エリアにアップロードし、ローカルの端末データを削除するステップ、
をさらに含むことを特徴とする請求項１に記載の端末異常の処理方法。
【請求項５】
端末に対するユーザのインタフェース切替方式を記録し、前記インタフェース切替方式はユーザの正常的な使用中にユーザの操作行為を分析して特定された情報である、記録ユニットと、
前記端末が現在検出した操作情報を取得する取得ユニットと、
前記操作情報と前記インタフェース切替方式が一致しない場合、予め設定された対象に異常警報情報を報告する報告ユニットと、を含み、
前記インタフェース切替方式は、同一の機能を実現するための、画面インタフェースにおける仮想のボタンをクリックする操作による切替方式、及び、前記端末における物理的なボタンをクリックする操作による切替方式を含む、
ことを特徴とする端末異常の処理装置。
【請求項６】
前記報告ユニットは、
予め設定された時間内に不一致イベントが発生した回数を統計する統計サブユニットと、
統計された前記回数が予め設定された回数閾値以上であるか否かを判断する判断サブユニットと、
判断した結果、前記回数が予め設定された回数閾値以上である場合、予め設定された対象に異常警報情報を報告する第１の報告サブユニットと、
を含むことを特徴とする請求項５に記載の端末異常の処理装置。
【請求項７】
前記異常警報情報は、現在の使用者の人体の特徴情報、前記端末の地理位置情報、及び/または対応する基地局の情報、予め設定された通知ショートメッセージのうちの少なくとも一つを含むことを特徴とする請求項５に記載の端末異常の処理装置。
【請求項８】
前記操作情報と前記インタフェース切替方式が一致しない場合、前記端末を機能制限モードに切り替えるか、及び/または端末データを予め設定された安全な記憶エリアにアップロードし、ローカルの端末データを削除するための処理ユニットをさらに含むことを特徴とする請求項５に記載の端末異常の処理装置。
【請求項９】
プロセッサと、
前記プロセッサにより実行可能な命令を記憶するためのメモリと、を含み、
前記プロセッサは、
端末に対するユーザのインタフェース切替方式を記録し、前記インタフェース切替方式はユーザの正常的な使用中にユーザの操作行為を分析して特定された情報であり、
前記端末が現在検出した操作情報を取得し、
前記操作情報と前記インタフェース切替方式が一致しない場合、予め設定された対象に異常警報情報を報告するように構成され、
前記インタフェース切替方式は、同一の機能を実現するための、画面インタフェースにおける仮想のボタンをクリックする操作による切替方式、及び、前記端末における物理的なボタンをクリックする操作による切替方式を含む、
ことを特徴とする電子装置。
【請求項１０】
プロセッサに実行されることにより、請求項１から請求項４のいずれか一項に記載の端末異常の処理方法を実現することを特徴とするプログラム。
【請求項１１】
請求項１０に記載のプログラムが記録された記録媒体。
【発明の詳細な説明】
【技術分野】
【０００１】
本発明は、端末技術分野に関し、特に、端末異常の処理方法、端末異常の処理装置、電子装置、プログラム、及び記録媒体に関する。
【背景技術】
【０００２】
スマート端末は、ユーザに多くのアプリケーションと機能を提供して、ユーザの生活をより便利、迅速にしている。それに伴って、ユーザのスマート端末に対する依存性も高くなるとともに、個人のプライバシーなデータをスマート端末に記憶し、スマート端末の紛失や盗難が発生した場合に、ユーザに大きな損失をもたらすことになる。
【発明の概要】
【０００３】
本発明は、従来技術において端末データのセキュリティが低いという技術問題を解決するために、端末異常の処理方法、端末異常の処理装置、電子装置、プログラム、及び記録媒体を提供する。
【０００４】
本発明の実施例の第１の態様によると、端末異常の処理方法を提供し、当該端末異常の処理方法は、端末に対するユーザの使用習慣情報を記録するステップと、前記端末が現在検出した操作情報を取得するステップと、前記操作情報と前記使用習慣情報が一致しない場合、予め設定された対象に異常警報情報を報告するステップと、を含む。
【０００５】
好ましくは、前記使用習慣情報は、高度情報、握持方式、端末とユーザの目との間の距離、握持角度、ユーザの人体の特徴情報、連続クリック速度、インタフェース切替方式、画面ロック解除方式、タッチジェスチャーの軌跡図形のうちの少なくとも一つを含む。
【０００６】
好ましくは、前記操作情報と前記使用習慣情報が一致しない場合、予め設定された対象に異常警報情報を報告するステップは、予め設定された時間内に不一致イベントが発生した回数を統計するステップと、統計された前記回数が予め設定された回数閾値以上であるか否かを判断するステップと、前記回数が予め設定された回数閾値以上である場合、予め設定された対象に異常警報情報を報告するステップと、を含む。
【０００７】
好ましくは、前記操作情報と前記使用習慣情報が一致しない場合、予め設定された対象に異常警報情報を報告するステップは、前記操作情報に対応する第１の操作パラメータと前記使用習慣情報に対応する第２の操作パラメータとの間の数値差異を計算するステップと、前記数値差異が予め設定された差異閾値以上である場合、予め設定された対象に異常警報情報を報告するステップと、を含む。
【０００８】
好ましくは、前記異常警報情報は、現在の使用者の人体の特徴情報、前記端末の地理位置情報、及び/または対応する基地局の情報、予め設定された通知ショートメッセージのうちの少なくとも一つを含む。
【０００９】
好ましくは、上記方法は、前記操作情報と前記使用習慣情報が一致しない場合、前記端末を機能制限モードに切り替えるか、及び/または端末データを予め設定された安全な記憶エリアにアップロードし、ローカルの端末データを削除するステップをさらに含む。
【００１０】
本発明の実施例の第２の態様によると、端末異常の処理装置を提供し、当該端末異常の処理装置は、端末に対するユーザの使用習慣情報を記録する記録ユニットと、
前記端末が現在検出した操作情報を取得する取得ユニットと、前記操作情報と前記使用習慣情報が一致しない場合、予め設定された対象に異常警報情報を報告する報告ユニットと、を含む。
【００１１】
好ましくは、前記使用習慣情報は、高度情報、握持方式、端末とユーザの目との間の距離、握持角度、ユーザの人体の特徴情報、連続クリック速度、インタフェース切替方式、タッチジェスチャーの軌跡図形のうちの少なくとも一つを含む。
【００１２】
好ましくは、前記報告ユニットは、予め設定された時間内に不一致イベントが発生した回数を統計する統計サブユニットと、統計された前記回数が予め設定された回数閾値以上であるか否かを判断する判断サブユニットと、判断した結果、前記回数が予め設定された回数閾値以上である場合、予め設定された対象に異常警報情報を報告する第１の報告サブユニットと、を含む。
【００１３】
好ましくは、前記報告ユニットは、前記操作情報に対応する第１の操作パラメータと前記使用習慣情報に対応する第２の操作パラメータとの間の数値差異を計算する計算サブユニットと、前記数値差異が予め設定された差異閾値以上である場合、予め設定された対象に異常警報情報を報告する第２の報告サブユニットと、を含む。
【００１４】
好ましくは、前記異常警報情報は、現在の使用者の人体の特徴情報、前記端末の地理位置情報、及び/または対応する基地局の情報、予め設定された通知ショートメッセージのうちの少なくとも一つを含む。
【００１５】
好ましくは、上記装置は、前記操作情報と前記使用習慣情報が一致しない場合、前記端末を機能制限モードに切り替えるか、及び/または端末データを予め設定された安全な記憶エリアにアップロードし、ローカルの端末データを削除する処理ユニットをさらに含む。
【００１６】
本発明の実施例の第３の態様によると、電子装置を提供し、当該電子装置は、プロセッサと、前記プロセッサにより実行可能な命令を記憶するためのメモリと、を含み、前記プロセッサは、端末に対するユーザの使用習慣情報を記録し、前記端末が現在検出した操作情報を取得し、前記操作情報と前記使用習慣情報が一致しない場合、予め設定された対象に異常警報情報を報告する。
【００１７】
本発明の実施例の第４の態様によると、プログラムを提供し、当該プログラムは、プロセッサに実行されることにより、上記端末異常の処理方法を実現する。
【００１８】
本発明の実施例の第５の態様によると、記録媒体を提供し、当該記録媒体には、上記プログラムが記録されている。
【００１９】
本発明の実施例に係る技術案は、以下の有益な効果を奏する。
【００２０】
本発明は、ユーザの使用習慣情報を記録し、当該使用習慣情報と現在の使用者の操作情報とを比較することにより、現在の使用者の身分情報を正確に判断することができるので、すぐに端末の紛失や盗難に気づくことができるとともに、操作情報と使用習慣情報が一致しない場合に異常警報情報を報告することにより、ユーザができるだけ早く端末を探すように促し、ユーザの損失を低減させる。
【００２１】
以上の一般的な記述と、以下の詳細の記述は、ただ例示的なものであって、本発明を限定するものではないことを理解すべきである。
【図面の簡単な説明】
【００２２】
ここでの図面は、明細書に組み入れて本明細書の一部を構成し、本発明に該当する実施例を例示するとともに、明細書とともに本発明の原理を解釈するために用いられる。
【００２３】
【図１】一つの例示的な実施例に係る一つの端末異常の処理方法のフローチャートである。
【図２】一つの例示的な実施例に係る別の１つの端末異常の処理方法のフローチャートである。
【図３】一つの例示的な実施例に係る一つの端末異常の処理方法のインタフェースを模式的に示す図である。
【図４】一つの例示的な実施例に係る別の一つの端末異常の処理方法のフローチャートである。
【図５】一つの例示的な実施例に係る別の一つの端末異常の処理方法のインタフェースを模式的に示す図である。
【図６】一つの例示的な実施例に係る一つの端末異常の処理装置のブロック図である。
【図７】一つの例示的な実施例に係る別の一つの端末異常の処理装置のブロック図である。
【図８】一つの例示的な実施例に係る別の一つの端末異常の処理装置のブロック図である。
【図９】一つの例示的な実施例に係る別の一つの端末異常の処理装置のブロック図である。
【図１０】一つの例示的な実施例に係る一つの端末異常を処理するための装置の構成を模式的に示す図である。
【発明を実施するための形態】
【００２４】
ここで、図面に示される例示的な実施例について詳細に説明する。以下、図面に関連して説明する際に、特別な説明がない限り、異なる図面での同一符号は、同一または類似な要素を示す。以下の例示的な実施例で記載する実施形態は、本発明に一致する全ての実施形態を代表するわけではない。反って、それらは、添付される特許請求の範囲で詳細に記載される本発明の一部の態様に一致する装置、及び方法の例に過ぎない。
【００２５】
図１は、一つの例示的な実施例に係る端末異常の処理方法のフローチャートであり、図１に示すように、当該方法は、端末中に適用され、下記のステップを含む。
【００２６】
ステップ１０２において、端末に対するユーザの使用習慣情報を記録する。
【００２７】
本実施例において、使用習慣情報は、高度情報（例えば、ユーザが操作を実行する場合の端末の位置する高度）、握持方法（例えば、左手握持または右手握持）、端末とユーザの目との間の距離、握持角度（例えば、ユーザが操作を実行する場合の端末と水平方向や垂直方向との角度）、ユーザの人体の特徴情報（例えば、手の形、指紋、顔の形、アイリス、網膜、脈拍、耳介など）、連続クリック速度、インタフェース切替方式（例えば、インタフェース上の「戻る」ボタンをクリックするか、それとも、端末上の「戻る」ボタンをクリックするか）、画面のロック解除方式（例えば、ロック解除マークを「ロック解除」アイコンにスライドさせるか、それとも、「通話」アイコンにスライドさせるか）、タッチジェスチャーの軌跡図形（例えば、ロック解除マークをスライドさせる場合のスライド距離など）のうちの少なくとも一つを含む。
【００２８】
１つの例示的な実施形態として、端末に「ユーザ習慣」の設定機能を設定してもよい。そして、端末が最初に活性化された時、当該機能を自動的に起動するか、またはユーザにより手動で起動した後、ユーザが一つまたは複数の操作を実行するように案内して、該当する使用習慣情報を収集し、記録する。別の１つの例示的な実施形態として、ユーザの正常的な使用中にユーザの操作行為を分析してユーザの使用習慣情報を特定してもよい。
【００２９】
本実施例において、端末は、ユーザの正常的な操作行為と情報を収集した後、直接分析してユーザの使用習慣情報を取得してもよく、収集したデータをサーバにアップロードして、サーバにより分析され特定された使用習慣情報を受信してもよい。
【００３０】
ステップ１０４において、上記端末が現在検出した操作情報を取得する。
【００３１】
ステップ１０６において、上記操作情報と上記使用習慣情報とが一致しない場合、予め設定された対象に異常警報情報を報告する。
【００３２】
本実施例において、報告される異常警報情報は、現在の使用者の人体の特徴情報（例えば、フロントカメラで撮影して得られた使用者の顔画像）、端末の地理位置情報、及び／又は対応する基地局の情報、予め設定された通知ショートメッセージのうちの少なくとも一つを含む。
【００３３】
上記の実施例から分かるように、本発明は、使用習慣情報と現在の使用者の操作情報とを比較することにより、現在の使用者の身分情報を正確に判断することができるので、端末の紛失や盗難に即時に気づくことができる。それとともに、操作情報と使用習慣情報が一致しない場合に異常警報情報を報告することにより、ユーザができるだけ早く端末を探すように促すことにより、ユーザの損失を低減させる。
【００３４】
図２を参照すると、図２は、一つの例示的な実施例に係る別の一つの端末異常の処理方法のフローチャートであり、下記のステップを含む。
【００３５】
ステップ２０２において、端末は、ユーザの使用習慣情報を保存する。
【００３６】
本実施例において、端末に保存される使用習慣情報は、端末自身により生成されてもよく、サーバにより生成された後、端末に受信され保存されてもよい。
【００３７】
ステップ２０４において、現在の使用者の操作情報を取得する。
【００３８】
本実施例において、１つの例示的な実施形態として、端末は、リアルタイムに、または予め設定された周期に従って操作情報を収集し分析して、現在の使用者が予め設定されたユーザであるか否かを特定してもよい。別の１つの例示的な実施形態として、端末は、該当する命令を受信した場合にのみ、現在の使用者の操作情報を収集し分析してもよい。例えば、端末がユーザのスマートフォンである場合、ユーザは、普通、操作情報の収集機能と使用者身分の識別機能とをオフにし、自分のスマートフォンが紛失されたことなどに気づいた場合に、他の端末やサーバなどの装置を用いて自分のスマートフォンに起動命令を送信することによって、現在の使用者の操作情報に対する収集機能と使用者身分の識別機能とをオンにしてもよい。
【００３９】
ステップ２０６において、現在の使用者の操作情報と、端末に保存されている使用習慣情報とが一致するか否かを判断し、一致する場合、ステップ２０４に戻り、そうではない場合、ステップ２０８に入る。
【００４０】
本実施例においては、「インタフェース切替方法」を例として、ステップ２０６での一致可否の判断動作を詳細に説明する。アプリケーションプログラムが複数のアプリケーションインタフェースを含む場合が多く、且つ、アプリケーションの複数のインタフェース同士が階層関係にあるため、ユーザは、「戻る」方式によって、現在のインタフェースから前のインタフェースに切り替える必要がある。
【００４１】
図３に示すように、現在のインタフェースが「白さん」とのチャットインタフェースである場合、前のインタフェースに戻るためには、画面インタフェースにおける仮想の「戻る」ボタンをクリックする操作（１）により実現してもよく、端末における物理的な「戻る」ボタンをクリックする操作（２）により実現してもよい。これにより、ユーザが操作（１）で上記のインタフェースを切り替えることに慣れている場合、現在の使用者が操作（２）を採用すると、不一致イベントが発生したと判定する。
【００４２】
ステップ２０８において、予め設定された時間内に不一致イベントが発生した統計回数Ｎに１を加える。
【００４３】
本実施例において、タイマーによって、上記「予め設定された時間」を記録することができる。これにより、ステップ２０８に入ると、まずタイマーが存在するか否かを特定する。タイマーが存在し、且つタイムアウトになっていない場合、該当する統計回数Ｎが必ず存在するため、当該回数Ｎに1を加える。タイマーが存在しない場合には、タイマーを起動して初期値が０である統計回数Ｎを生成し、且つ当該回数Ｎに１を加える。
【００４４】
ステップ２１０において、回数Ｎが予め設定された回数閾値Ｎ０以上であるか否かを判断し、そうである場合、ステップ２１２に入り、そうではない場合、ステップ２０４に戻る。
【００４５】
ステップ２１２において、予め設定された対象に異常警報情報を報告する。
【００４６】
図４を参照すると、図４は、一つの例示的な実施例に係る別の一つの端末異常の処理方法のフローチャートであり、以下のステップを含む。
【００４７】
ステップ４０２において、端末は、ユーザの使用習慣情報を保存する。
【００４８】
本実施例において、端末に保存される使用習慣情報は、端末自身によって生成されてもよく、サーバにより生成された後、端末に受信、及び保存されてもよい。
【００４９】
ステップ４０４において、現在の使用者の操作情報を取得する。
【００５０】
本実施例において、１つの例示的な実施形態として、端末は、リアルタイムに、または予め設定された周期に従って操作情報を収集し分析して、現在の使用者が予め設定されたユーザであるか否かを特定してもよい。別の１つの例示的な実施形態として、端末は、該当する命令を受信した場合にのみ、現在の使用者の操作情報を収集し分析してもよい。例えば、端末がユーザのスマートフォンである場合、ユーザは、普通、操作情報の収集機能と使用者身分の識別機能とをオフにし、自分のスマートフォンが紛失されたことなどに気づいた場合に、他の端末やサーバなどの装置を用いて自分のスマートフォンに起動命令を送信することによって、現在の使用者の操作情報に対する収集機能と使用者身分の識別機能とをオンにしてもよい。
【００５１】
ステップ４０６において、現在の使用者の操作情報と、端末に保存されている使用習慣情報とが一致するか否かを判断し、一致する場合、ステップ４０４に戻り、そうではない場合、ステップ４０８に入る。
【００５２】
本実施例においては、「画面のロック解除」を例として、ステップ４０６での一致可否の判断動作を詳細に説明する。端末の画面がロックされた後、画面を再点灯させると、端末画面にロックインタフェースが表示され、ユーザのロック解除操作により、画面のロックが解除される。
【００５３】
図５に示すように、端末のロックインタフェースには、下側に位置する「ロック解除」アイコンと、左側に位置する「ダイヤル」アイコンと、右側に位置する「カメラ」アイコンとを含む複数のアイコンがある。ユーザは、中央の操作マークを何れのアイコン位置にドラッグして画面のロックを解除するとともに、該当するアプリケーションの機能を実現できる。ユーザが常に操作マークを左側の「ダイヤル」アイコンにドラッグする操作（１）によって画面のロックを解除すると仮定した場合、現在の使用者が操作マークを下側の「ロック解除」にドラッグする操作（２）によって画面のロックを解除したら、現在の使用者が真のユーザではない可能性があり、端末が紛失や盗難された可能性があることを意味する。
【００５４】
ステップ４０８において、操作情報に対応する第１の操作パラメータと使用習慣情報に対応する第２の操作パラメータとの数値差異を計算する。
【００５５】
本実施例において、依然として図５に示すロック解除インタフェースを例とすると、操作パラメータは、操作マークの移動方向であってもよい。第１の操作パラメータと第２の操作パラメータがそれぞれ図５に示された操作（２）と操作（１）に対応する場合、数値差異は、移動方向の差異角度であって、例えば、９０°である。あるいは、操作パラメータは、操作マークの移動距離であってもよい。第１の操作パラメータと第２の操作パラメータがいずれも図５に示された操作（１）を採用する場合、数値差異は、移動距離の数値差異であって、例えば、０.５ｃｍである。
【００５６】
ステップ４１０において、数値差異が予め設定された閾値以上であるか否かを判断し、そうである場合、ステップ４１２に入り、そうではない場合、ステップ４０４に戻る。
【００５７】
本実施例において、ユーザが同じ操作を実行する場合にも、操作パラメータの数値差異が存在して、完全に一致しない可能性がある。そのため、予め設定された閾値を設定することにより、数値差異が正常の操作誤差に起因するものであるか、それとも使用者の変更に起因するものであるかを正確に判別することができる。
【００５８】
従って、例えば、第１の操作パラメータと第２の操作パラメータがそれぞれ図５に示された操作（２）と操作（１）に対応する場合、予め設定された閾値が１０°であると仮定すると、移動方向の差異角度が９０°である場合、現在の使用者が不法使用者であり、端末が紛失や盗難された可能性があることを表す。あるいは、例えば、第１の操作パラメータと第２の操作パラメータがいずれも図５に示された操作（１）を採用する場合、予め設定された閾値が０.３ｃｍであると仮定すると、移動距離の数値差異が０.５ｃｍである場合、現在の使用者が不法使用者であり、端末が紛失や盗難された可能性があることを表す。
【００５９】
ステップ４１２において、予め設定された対象に異常警報情報を報告する。
【００６０】
１つの例示的な実施形態として、図２および図４に示す実施例において、異常警報情報を報告するとともに、端末を機能制限モードに切り替えることもできる。例えば、端末の画面をロックするか、または現在の使用者が予め設定された機能を起動することを禁止する。それにより、不法使用者が端末データを覗いたり、端末に記録されている連絡先に対して詐欺を実施することを防止する。
【００６１】
別の１つの例示的な実施形態として、図２及び図４に示す実施例において、異常警報情報を報告するとともに、端末データを予め設定された安全な記憶エリアにアップロードし、ローカルの端末データを削除することによって、端末データのセキュリティを確保するだけではなく、不法使用者が端末データを覗いたり、端末に記録されている連絡先に対して詐欺を実施することを防止できる。
【００６２】
本発明は、上記の端末異常の処理方法に対応する端末異常の処理装置の実施例をさらに提供する。
【００６３】
図６は、一つの例示的な実施例に係る一つの端末異常の処理装置のブロック図であり、図６を参照すると、当該装置は、記録ユニット６１、取得ユニット６２、および報告ユニット６３を含む。
【００６４】
ここで、記録ユニット６１は、端末に対するユーザの使用習慣情報を記録するように構成される。
【００６５】
取得ユニット６２は、上記端末が現在検出した操作情報を取得するように構成される。
【００６６】
報告ユニット６３は、上記操作情報と上記使用習慣情報とが一致しない場合、予め設定された対象に異常警報情報を報告するように構成される。
【００６７】
上記実施例において、ユーザの使用習慣情報を記録し、且つ当該使用習慣情報と現在の使用者の操作情報とを比較することにより、現在の使用者の身分情報を正確に判断することができるので、端末の紛失や盗難に即時に気づくことができる。それとともに、操作情報と使用習慣情報とが一致しない場合に異常警報情報を報告することにより、ユーザができるだけ迅速に端末を探せるようにし、ユーザの損失を低減させる。
【００６８】
図７に示すように、図７は、一つの例示的な実施例に係る別の一つの端末異常の処理装置のブロック図であり、上記図６に示す実施例を基礎として、当該実施例において、報告ユニット６３は、統計サブユニット６３１、判断サブユニット６３２、および第１の報告サブユニット６３３を含んでもよい。
【００６９】
ここで、統計サブユニット６３１は、予め設定された時間内に不一致イベントが発生した回数を統計するように構成される。
【００７０】
判断サブユニット６３２は、統計された上記回数が予め設定された回数閾値以上であるか否かを判断するように構成される。
【００７１】
第１の報告サブユニット６３３は、判断した結果、上記回数が予め設定された回数閾値以上である場合、予め設定された対象に異常警報情報を報告するように構成される。
【００７２】
図８に示すように、図８は、一つの例示的な実施例に係る別の一つの端末異常の処理装置のブロック図であり，上記図６に示す実施例を基礎として、当該実施例において、報告ユニット６３は、計算サブユニット６３４、及び第２の報告サブユニット６３５を含んでもよい。
【００７３】
ここで、計算サブユニット６３４は、上記操作情報に対応する第１の操作パラメータと上記使用習慣情報に対応する第２の操作パラメータとの間の数値差異を計算するように構成される。
【００７４】
第２の報告サブユニット６３５は、上記数値差異が予め設定された差異閾値以上である場合、予め設定された対象に異常警報情報を報告するように構成される。
【００７５】
図９に示すように、図９は、一つの例示的な実施例に係る別の一つの端末異常の処理装置のブロック図であり、上記図６に示す実施例を基礎として、当該実施例において、当該装置は、処理ユニット６４をさらに含む。
【００７６】
ここで、処理ユニット６４は、上記操作情報と上記使用習慣情報とが一致しない場合、上記端末を機能制限モードに切り替えるか、および/または端末データを予め設定された安全な記憶エリアにアップロードし、ローカルの端末データを削除するように構成される。
【００７７】
説明すべきことは、上記図９に示す装置実施例における処理ユニット６４の構成は、上記図７または図８に示す装置実施例に含まれてもよく、本発明は、それに対して限定しない。
【００７８】
なお、上記図６〜図９に示す実施例において、使用習慣情報は、高度情報、握持方式、端末とユーザの目との間の距離、握持角度、ユーザの人体の特徴情報、連続クリック速度、インタフェース切替方式、タッチジェスチャーの軌跡図形のうちの少なくとも一つを含んでもよい。
【００７９】
なお、上記図６〜図９に示す実施例において、異常警報情報は、現在の使用者の人体の特徴情報、上記端末の地理位置情報、および/または対応する基地局の情報、予め設定された通知ショートメッセージのうちの少なくとも一つを含んでもよい。
【００８０】
上記の実施例における装置について、その各モジュールが操作を行う具体的な形態は既に当該方法に関する実施例において詳細に説明したため、ここでは詳細に説明しない。
【００８１】
装置実施例について、基本的に方法実施例に対応するため、関連する部分は方法実施例の部分的な説明を参照すればよい。上記の装置実施例は、ただ例示的なものであって、分離された部品として説明されたユニットは、物理的に分離されたものであってもなくてもよい。ユニット表示としての部品としては、物理ユニットであってもなくてもよい。即ち、一つの同じ場所に位置することができるようにしてもよく、または多数複数のネットワークユニットにも分布できるようにしてもよい。実際の必要性に応じて、そのうちの一部または全部のモジュールを選択して本発明の目的を実現できる。当業者は、創造性の労働を必要とせずに理解して実施できる。
【００８２】
本発明は、端末異常の処理装置をさらに提供し、当該装置は、プロセッサと、上記プロセッサにより実行可能の命令を記憶するためのメモリとを含む。ここで、上記プロセッサは、端末に対するユーザの使用習慣情報を記録し、上記端末が現在検出した操作情報を取得し、上記操作情報と上記使用習慣情報とが一致しない場合、予め設定された対象に異常警報情報を報告するように構成される。
【００８３】
なお、本発明は、端末をさらに提供し、当該端末は、メモリ、および一つまたは一つ以上のプログラムを含む。ここで、一つまたは一つ以上のプログラムは、メモリに記憶されるとともに、一つまたは一つ以上のプロセッサにより実行されて、端末に対するユーザの使用習慣情報を記録し、上記端末が現在検出した操作情報を取得し、上記操作情報と上記使用習慣情報とが一致しない場合、予め設定された対象に異常警報情報を報告する、操作を行う。
【００８４】
図１０は、１つの例示的な実施例に係る端末異常を処理するための装置１０００のブロック図であり、例えば、装置１０００は、携帯電話、コンピュータ、デジタル放送端末、メッセージ送受信装置、ゲームコンソール、タブレット装置、医療設備、フィットネス装置、ＰＤＡなどである。
【００８５】
図１０を参照すると、装置１０００は、プロセスアセンブリ１００２、メモリ１００４、電源アセンブリ１００６、マルチメディアアセンブリ１００８、オーディオアセンブリ１０１０、入出力（Ｉ／Ｏ）インタフェース１０１２、センサアセンブリ１０１４、及び通信アセンブリ１０１６のような一つ或いは複数のアセンブリを含んでもよい。
【００８６】
プロセスアセンブリ１００２は、一般的には装置１０００の全体の動作を制御するものであり、例えば、表示、電話呼び出し、データ通信、カメラ操作、及び記録操作と関連する操作を制御する。プロセスアセンブリ１００２は、一つ以上のプロセッサ１０２０を含み、これらによって命令を実行することにより、上記の方法の全部、或は一部のステップを実現するようにしてもよい。なお、プロセスアセンブリ１００２は、一つ以上のモジュールを含んでプロセスアセンブリ１００２と他のアセンブリの間のインタラクションを容易にしてもよい。例えば、プロセスアセンブリ１００２は、マルチメディアモジュールを含んでマルチメディアアセンブリ１００８とプロセスアセンブリ１００２の間のインタラクションを容易にしてもよい。
【００８７】
メモリ１００４は、各種類のデータを記憶することにより装置１０００の動作を支援するように構成される。これらのデータの例は、装置１０００において操作されるいずれのアプリケーションプログラム又は方法の命令、連絡対象データ、電話帳データ、メッセージ、画像、ビデオ等を含む。メモリ１００４は、いずれかの種類の揮発性メモリ、不揮発性メモリ記憶デバイスまたはそれらの組み合わせによって実現されてもよく、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【００８８】
電源アセンブリ１００６は、装置１０００の各アセンブリに電力を供給する。電源アセンブリ１００６は、電源管理システム、一つ或いは複数の電源、及び装置１０００のための電力の生成、管理、及び割り当てに関連する他のアセンブリを含んでもよい。
【００８９】
マルチメディアアセンブリ１００８は、上記装置１０００とユーザの間に一つの出力インタフェースを提供するスクリーンを含む。部分実施例において、スクリーンは、液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは、一つ以上のタッチセンサを含み、タッチ、スライド、及びタッチパネル上のジェスチャを検出することができる。上記タッチセンサは、タッチ、或はスライド動作の境界だけでなく、上記タッチ、或はスライド操作に係る継続時間、及び圧力も検出できる。部分実施例において、マルチメディアアセンブリ１００８は、一つのフロントカメラ、及び／又はリアカメラを含む。装置１０００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【００９０】
オーディオアセンブリ１０１０は、オーディオ信号を入出力するように構成される。例えば、オーディオアセンブリ１０１０は、一つのマイク（ＭＩＣ）を含み、装置１０００が、例えば呼出しモード、記録モード、及び音声認識モード等の操作モードにある場合、マイクは外部のオーディオ信号を受信することができる。受信されたオーディオ信号は、さらにメモリ１００４に記憶されたり、通信アセンブリ１０１６を介して送信されたりする。部分実施例において、オーディオアセンブリ１０１０は、オーディオ信号を出力するための一つのスピーカーをさらに含む。
【００９１】
Ｉ／Ｏインタフェース１０１２は、プロセスアセンブリ１００２と周辺インタフェースモジュールの間にインタフェースを提供するものであり、上記周辺インタフェースモジュールは、キーボード、クリックホイール、ボタン等であってもよい。これらのボタンは、ホームボタン、ボリュームボタン、起動ボタン、ロッキングボタンを含んでもよいが、これらに限定されない。
【００９２】
センサアセンブリ１０１４は、装置１０００に各方面の状態に対する評価を提供するための一つ以上のセンサを含む。例えば、センサアセンブリ１０１４は、装置１０００のＯＮ／ＯＦＦ状態、装置１０００のディスプレイとキーパッドのようなアセンブリの相対的な位置決めを検出できる。また、センサアセンブリ１０１４は、装置１０００、或いは装置１０００の一つのアセンブリの位置変更、ユーザと装置１０００とが接触しているか否か、装置１０００の方位、又は加速／減速、装置１０００の温度の変化を検出できる。センサアセンブリ１０１４は、何れの物理的接触がない状態にて付近の物体の存在を検出するための近接センサを含んでもよい。センサアセンブリ１０１４は、撮影アプリケーションに適用するため、ＣＭＯＳ、又はＣＣＤ画像センサのような光センサを含んでもよい。部分実施例において、当該センサアセンブリ１０１４は、加速度センサ、ジャイロスコープセンサ、磁気センサ、圧力センサ、及び温度センサをさらに含んでもよい。
【００９３】
通信アセンブリ１０１６は、装置１０００と他の機器の間に有線、又は無線形態の通信を提供する。装置１０００は、例えばＷｉＦｉ、２Ｇ、３Ｇ、或はこれらの組み合わせのような、通信規格に基づいた無線ネットワークに接続されてもよい。一つの例示的な実施例において、通信アセンブリ１０１６は、放送チャンネルを介して外部の放送管理システムからの放送信号、又は放送に関連する情報を受信する。一つの例示的な実施例において、上記通信アセンブリ１０１６は、近距離無線通信（ＮＦＣ）モジュールをさらに含むことにより、近距離通信をプッシュする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ（登録商標））技術、及び他の技術に基づいて実現できる。
【００９４】
例示的な実施例において、装置１０００は、一つ以上のＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記端末異常の処理方法を実行する。
【００９５】
例示的な実施例において、命令を含むコンピュータ読取り可能な非一時的な記録媒体、例えば命令を含むメモリ１００４をさらに提供し、装置１０００のプロセッサ１０２０により上記命令を実行して上記端末異常の処理方法を実現する。例えば、上記コンピュータ読取り可能な非一時的な記録媒体は、ＲＯＭ、ＲＡＭ、ＣＤ−ＲＯＭ、磁気テープ、フロッピー（登録商標）ディスク、光データ記憶デバイス等である。
【００９６】
当業者は、明細書に対する理解、及び明細書に記載された発明に対する実践を通じて、本発明の他の実施形態を容易に得ることができる。本発明は、本発明に対する任意の変形、用途、または適応的な変化を含み、このような変形、用途、または適応的な変化は、本発明の一般的な原理に従い、本発明では開示していない本技術分野の公知の知識、または通常の技術手段を含む。明細書と実施例は、ただ例示的なものであって、本発明の本当の範囲と主旨は、以下の特許請求の範囲によって示される。
【００９７】
本発明は、上記で記述し、図面で図示した特定の構成に限定されず、その範囲を離脱しない状況で、様々な修正と変更を実現できる。本発明の範囲は、添付される特許請求の範囲のみにより限定される。
【００９８】
本願は、出願番号がＣＮ２０１４１０５６８８８８．９であって、出願日が２０１４年１０月２２日である中国特許出願に基づいて優先権を主張し、当該中国特許出願のすべての内容を援用するようにする。
【図１】
0006466958.tif 000002
【図２】
0006466958.tif 000003
【図３】
0006466958.tif 000004
【図４】
0006466958.tif 000005
【図５】
0006466958.tif 000006
【図６】
0006466958.tif 000007
【図７】
0006466958.tif 000008
【図８】
0006466958.tif 000009
【図９】
0006466958.tif 000010
【図１０】
0006466958.tif 000011